(57)【要約】【課題】無負荷や異常点灯を検出する機能を有する制御ＩＣを使い、無負荷検出回路や異常点灯検出回路を設けずに、光源の累積点灯時間を監視する。【解決手段】交流交流変換回路１１０は、入力交流電力を入力し、入力した入力交流電力を変換して、ランプＬＡ（光源）に対して供給する出力交流電力を生成する。変換制御回路１５０（制御回路）は、異常を検出した場合に、交流交流変換回路１１０の動作を停止させる。点灯制御回路１８０（累積時間計測回路）は、ランプＬＡの累積点灯時間を計測する。点灯制御回路１８０（累積時間初期化回路）は、交流交流変換回路１１０が入力交流電力を入力し、かつ、交流交流変換回路１１０が出力交流電力を生成していない場合に、累積点灯時間を初期化する。【選択図】図２
2011222127.tif 000002
【特許請求の範囲】
【請求項１】
光源に電気接続する光源接続部と、
第一の交流電力を入力し、入力した第一の交流電力を変換して、上記光源接続部に接続した光源に対して供給する第二の交流電力を生成する交流交流変換回路と、
異常を検出した場合に、上記交流交流変換回路の動作を停止させる制御回路と、
上記交流交流変換回路が上記第一の交流電力を入力しているか否かを検出する入力検出回路と、
上記交流交流変換回路が上記第二の交流電力を生成しているか否かを検出する動作検出回路と、
上記動作検出回路が検出した結果に基づいて、上記交流交流変換回路が上記第二の交流電力を生成している累積時間を計測する累積時間計測回路と、
上記入力検出回路が検出した結果と、上記動作検出回路が検出した結果とに基づいて、上記交流交流変換回路が上記第一の交流電力を入力し、かつ、上記交流交流変換回路が上記第二の交流電力を生成していない場合に、上記累積時間計測回路が計測した累積時間を初期化する累積時間初期化回路とを有することを特徴とする点灯装置。
【請求項２】
上記点灯装置は、
上記交流交流変換回路が生成した第二の交流電力から上記制御回路を動作させる制御電源を生成する制御電源回路を有し、
上記動作検出回路は、上記制御電源回路が上記制御電源を生成しているか否かを検出することにより、上記交流交流変換回路が上記第二の交流電力を生成しているか否かを検出することを特徴とする請求項１に記載の点灯装置。
【請求項３】
上記点灯装置は、
上記入力検出回路が検出した結果に基づいて、上記交流交流変換回路が上記第一の交流電力を入力していない場合に、上記交流交流変換回路が上記第一の交流電力の入力を再開するまでの中断時間を計測する中断時間計測回路と、
上記中断時間計測回路が計測した中断時間が所定の範囲内である場合に、中断操作１回と数える中断操作計数回路とを有し、
上記累積時間初期化回路は、所定の時間以内に上記中断操作計数回路が数えた中断操作の回数が所定の回数以上である場合に、上記累積時間計測回路が計測した累積時間を初期化することを特徴とする請求項１または請求項２に記載の点灯装置。
【請求項４】
上記中断時間計測回路は、上記入力検出回路が検出した結果と、上記動作検出回路が検出した結果とに基づいて、上記交流交流変換回路が上記第一の交流電力を入力せず、かつ、上記交流交流変換回路が上記第二の交流電力を生成していない場合に、上記中断時間を計測することを特徴とする請求項３に記載の点灯装置。
【請求項５】
請求項１乃至請求項４のいずれかに記載の点灯装置と、上記光源接続部に接続する光源を着脱自在に固定する光源固定部とを有することを特徴とする照明器具。
【発明の詳細な説明】
【技術分野】
【０００１】
この発明は、放電灯などの光源を点灯する点灯装置に関する。
【背景技術】
【０００２】
点灯装置には、力率改善回路やインバータ回路を有するものがある。
力率改善回路やインバータ回路を駆動する駆動信号を生成する制御回路として、集積回路（制御ＩＣ）が用いられる場合がある。このような制御ＩＣには、力率改善回路やインバータ回路が入力または出力する電圧や電流を監視することにより、無負荷や異常点灯を検出し、自動的に発振を停止する機能を持つものがある。これにより、従来は必要だった無負荷検出回路や異常点灯検出回路が不要になる。
【０００３】
また、放電灯などの光源は、新品の状態では明るく点灯し、使用時間が増加するにつれて暗くなる場合がある。これを補償するため、光源の累積点灯時間を監視して、新品の状態では暗く調光し、使用時間が増加するにつれて明るく調光することにより、光源が常に同じ明るさ（光束）になるように制御する技術がある。
【先行技術文献】
【特許文献】
【０００４】
【特許文献１】特開２００６−１９０７００号公報
【特許文献２】特開２００７−１２３２２２号公報
【発明の概要】
【発明が解決しようとする課題】
【０００５】
光源の累積点灯時間を監視するためには、光源の交換や寿命による異常点灯を検出する必要がある。このため、制御ＩＣに無負荷や異常点灯を検出したことを知らせる出力がない場合、制御ＩＣに無負荷や異常点灯を検出する機能があるにもかかわらず、無負荷検出回路や異常点灯検出回路を設ける必要が生じる。
この発明は、例えば上記のような課題を解決するためになされたものであり、無負荷や異常点灯を検出する機能を有する制御ＩＣを使い、無負荷検出回路や異常点灯検出回路を設けずに、光源の累積点灯時間を監視することを目的とする。
【課題を解決するための手段】
【０００６】
この発明にかかる点灯装置は、光源に電気接続する光源接続部と、第一の交流電力を入力し、入力した第一の交流電力を変換して、上記光源接続部に接続した光源に対して供給する第二の交流電力を生成する交流交流変換回路と、上記交流交流変換回路の動作を制御するとともに、異常を検出した場合に、上記交流交流変換回路の動作を停止させる制御回路と、上記交流交流変換回路が上記第一の交流電力を入力しているか否かを検出する入力検出回路と、上記交流交流変換回路が上記第二の交流電力を生成しているか否かを検出する動作検出回路と、上記動作検出回路が検出した結果に基づいて、上記交流交流変換回路が上記第二の交流電力を生成している累積時間を計測する累積時間計測回路と、上記入力検出回路が検出した結果と、上記動作検出回路が検出した結果とに基づいて、上記交流交流変換回路が上記第一の交流電力を入力し、かつ、上記交流交流変換回路が上記第二の交流電力を生成していない場合に、上記累積時間計測回路が計測した累積時間を初期化する累積時間初期化回路とを有することを特徴とする。
【発明の効果】
【０００７】
この発明にかかる点灯装置によれば、上記交流交流変換回路が上記第一の交流電力を入力し、かつ、上記交流交流変換回路が上記第二の交流電力を生成していない場合に、上記累積時間計測回路が計測した累積時間を初期化するので、制御回路が異常を検出した場合に累積時間を初期化することができ、無負荷検出回路や異常点灯検出回路を設けずに、光源の累積点灯時間を監視することができる。
【図面の簡単な説明】
【０００８】
【図１】実施の形態１における照明器具８００の外観を示す斜視図。
【図２】実施の形態１における点灯装置１００の機能ブロックの構成を示すブロック構成図。
【図３】実施の形態１における点灯装置１００の回路構成を示す回路図。
【図４】実施の形態１における点灯制御回路１８０の機能ブロックの構成を示す詳細ブロック図。
【図５】実施の形態１における点灯装置１００の処理の流れを示すフローチャート図。
【図６】実施の形態１における起動処理Ｓ５１０の流れを示すフローチャート図。
【図７】実施の形態１における点灯処理Ｓ５２０の流れを示すフローチャート図。
【図８】実施の形態１における停止処理Ｓ５３０の流れを示すフローチャート図。
【図９】実施の形態１における異常停止処理Ｓ５４０の流れを示すフローチャート図。
【図１０】実施の形態１における点灯装置１００の動作タイミングの一例を示すタイミング図。
【図１１】実施の形態１における点灯装置１００の動作タイミングの別の例を示すタイミング図。
【図１２】実施の形態１における点灯装置１００の動作タイミングの更に別の例を示すタイミング図。
【発明を実施するための形態】
【０００９】
実施の形態１．
実施の形態１について、図１〜図１２を用いて説明する。
【００１０】
図１は、この実施の形態における照明器具８００の外観を示す斜視図である。
照明器具８００は、本体８１０、ソケット８２０を有する。
本体８１０は、点灯装置１００（図示せず）を内蔵している。
ソケット８２０（光源固定部）は、放電灯などのランプＬＡ（光源）を着脱自在に固定する。
ランプＬＡは、ソケット８２０に固定されることにより、点灯装置１００に電気接続される。ランプＬＡは、点灯装置１００から供給される電力により点灯する。
【００１１】
図２は、この実施の形態における点灯装置１００の機能ブロックの構成を示すブロック構成図である。
点灯装置１００は、交流電源ＡＣから電力の供給を受ける。点灯装置１００は、供給された電力をランプＬＡに供給する電力に変換する。
交流電源ＡＣは、例えば商用電源である。交流電源ＡＣは、例えば電源スイッチＳＷを介して、点灯装置１００に電力を供給する。
電源スイッチＳＷは、例えば、利用者が手動で操作するスイッチである。電源スイッチＳＷの操作により、利用者は、ランプＬＡを点灯あるいは消灯する。また、あらかじめ定められたパターンで電源スイッチＳＷを操作することにより、利用者は、点灯装置１００に対して、ランプＬＡの累積点灯時間のリセットを指示する。
【００１２】
点灯装置１００は、交流交流変換回路１１０、変換制御回路１５０、入力検出回路１６０、動作検出回路１７０、点灯制御回路１８０を有する。
【００１３】
交流交流変換回路１１０は、入力交流電力を入力する。入力交流電力（第一の交流電力）は、点灯装置１００が交流電源ＡＣから入力した交流電力である。入力交流電力は、例えば、周波数が５０Ｈｚ〜６０Ｈｚ、電圧実効値が１００Ｖ〜２５４Ｖである。
交流交流変換回路１１０は、入力した入力交流電力を変換して、出力交流電力を生成する。出力交流電力（第二の交流電力）は、ランプＬＡに供給する交流電力である。
【００１４】
変換制御回路１５０（制御回路、ドライブ回路）は、交流交流変換回路１１０の動作を制御する。変換制御回路１５０は、変換制御信号を生成する。変換制御信号は、交流交流変換回路１１０の動作を制御する信号である。変換制御信号は、例えば、交流交流変換回路１１０のスイッチング素子を駆動する駆動信号である。
また、変換制御回路１５０は、入力交流電力や出力交流電力の電圧値や電流値を監視することにより、異常の有無を検出する。異常を検出した場合、変換制御回路１５０は、交流交流変換回路１１０の動作を停止させる。
【００１５】
入力検出回路１６０（商用電源供給状態検出回路）は、交流交流変換回路１１０が入力交流電力を入力しているか否かを検出する。入力検出回路１６０は、入力検出信号を生成する。入力検出信号は、入力検出回路１６０が検出した結果を表わす。入力検出回路１６０は、生成した入力検出信号を出力する。
【００１６】
動作検出回路１７０は、交流交流変換回路１１０が出力交流電力を生成しているか否かを検出する。動作検出回路１７０は、動作検出信号を生成する。動作検出信号は、動作検出回路１７０は検出した結果を表わす。動作検出回路１７０は、生成した動作検出信号を出力する。
【００１７】
点灯制御回路１８０（点灯制御部）は、ランプＬＡの累積点灯時間を管理する。点灯制御回路１８０は、管理している累積点灯時間に基づいて、点灯制御信号を生成する。点灯制御信号は、変換制御回路１５０に対して、ランプＬＡの調光度を指示する信号である。例えば、点灯制御信号は、交流交流変換回路１１０が生成する出力交流電力の周波数を指示する。
点灯制御回路１８０は、入力検出回路１６０が出力した入力検出信号と、動作検出回路１７０が出力した動作検出信号とを入力する。点灯制御回路１８０は、入力した信号に基づいて、ランプＬＡの累積点灯時間を管理する。
【００１８】
図３は、この実施の形態における点灯装置１００の回路構成を示す回路図である。
点灯装置１００は、交流交流変換回路１１０、負荷回路１４０、光源接続部１４５、変換制御回路１５０、入力検出回路１６０、スナバ回路１７１、変換制御電源回路１７５、点灯制御回路１８０、点灯制御電源回路１９５、電源切換回路１９６を有する。
このうち、スナバ回路１７１及び変換制御電源回路１７５は、上述した動作検出回路１７０に相当する。
【００１９】
交流交流変換回路１１０は、整流回路１１１、３つのノイズ除去コンデンサＣ１５，Ｃ１６，Ｃ１７、力率改善回路１１２、平滑コンデンサＣ２５、インバータ回路１１３を有する。
【００２０】
整流回路１１１は、交流電源ＡＣから供給された交流電力を整流して、脈流にする。また、整流回路１１１は、点灯装置１００の外部から内部へのノイズの侵入や、点灯装置１００の内部から外部へのノイズの漏洩を防ぐ。整流回路１１１は、フィルタ回路１１６、ダイオードブリッジＤＢを有する。
【００２１】
ノイズ除去コンデンサＣ１５は、整流回路１１１の出力に並列に電気接続している。整流回路１１１の低電位側出力は、ノイズ除去コンデンサＣ１６，Ｃ１７を介して接地されている。ノイズ除去コンデンサＣ１５，Ｃ１６，Ｃ１７は、ノイズの除去を目的とし、比較的小さい静電容量を有する。
【００２２】
力率改善回路１１２は、交流交流変換回路１１０が入力する入力交流電力の電流波形を電圧波形に近い波形とすることにより、点灯装置１００の力率を改善する回路である。力率改善回路１１２は、例えば、昇圧チョッパ回路である。昇圧チョッパ回路は、チョークコイルＬ２１、スイッチング素子Ｑ２２、整流素子Ｄ２３を有する。スイッチング素子Ｑ２２は、変換制御回路１５０が生成した駆動信号により高周波でオンオフする。
【００２３】
インバータ回路１１３は、例えばハーフブリッジ回路である。ハーフブリッジ回路は、２つのスイッチング素子Ｑ３１，Ｑ３２を有する。２つのスイッチング素子Ｑ３１，Ｑ３２は、変換制御回路１５０が生成した駆動信号により、高周波で交互にオンオフする。これにより、交流交流変換回路１１０は、２つのスイッチング素子Ｑ３１，Ｑ３２の駆動信号と同じ周波数の出力交流電力を生成する。
【００２４】
負荷回路１４０（点灯回路）は、交流交流変換回路１１０が生成した出力交流電力を入力し、ランプＬＡに供給する。負荷回路１４０は、例えば、チョークコイルＬ４１、始動コンデンサＣ４２、結合コンデンサＣ４３を有する。
チョークコイルＬ４１は、ランプＬＡを流れる電流を制限する。始動コンデンサＣ４２は、始動時にチョークコイルＬ４１と共振することにより、ランプＬＡのフィラメント間に高電圧を発生させ、放電を開始させる。結合コンデンサＣ４３は、交流交流変換回路１１０が生成した出力交流電力の直流電圧成分を除去する。
【００２５】
光源接続部１４５は、点灯装置１００の出力端子である。光源接続部１４５は、ソケット８２０と電気接続している。光源接続部１４５は、ソケット８２０に固定されたランプＬＡに電気接続する。
【００２６】
スナバ回路１７１（帰還回路）は、インバータ回路１１３のデッドタイム期間において、チョークコイルＬ４１を流れる電流を逃がす回路である。インバータ回路１１３は、２つのスイッチング素子Ｑ３１，Ｑ３２が同時にオンになるのを防ぐため、一方のスイッチング素子がオフになってから他方のスイッチング素子をオンにする。デッドタイム期間とは、２つのスイッチング素子Ｑ３１，Ｑ３２が両方ともオフである期間のことである。デッドタイム期間の長さは、例えば１μ秒〜２μ秒程度である。
スナバ回路１７１は、スナバコンデンサＣ７１、スナバ抵抗Ｒ７２、２つの整流素子Ｄ７３，Ｄ７４を有する。スナバコンデンサＣ７１は、デッドタイム期間において、チョークコイルＬ４１を流れる電流により充放電される。スナバ抵抗Ｒ７２は、スナバコンデンサＣ７１を流れる電流を制限する。２つの整流素子Ｄ７３，Ｄ７４は、スナバコンデンサＣ７１を充放電する電流のうち、一方向の電流だけを取り出す。
【００２７】
変換制御電源回路１７５（制御電源回路）は、変換制御電源（制御電源）を生成する。変換制御電源は、変換制御回路１５０が動作するための電源である。変換制御電源回路１７５は、スナバ回路１７１が取り出した電流から、変換制御電源を生成する。
変換制御電源回路１７５は、平滑コンデンサＣ７６、定電圧ダイオードＺ７７を有する。平滑コンデンサＣ７６は、スナバ回路１７１が取り出した電流により充電される。定電圧ダイオードＺ７７は、例えばツェナーダイオードである。定電圧ダイオードＺ７７は、平滑コンデンサＣ７６の両端電圧が変換制御回路１５０の動作電源の電圧値を超えた場合に、オンになり、スナバ回路１７１が取り出した電流を逃がす。
【００２８】
変換制御電源回路１７５は、スナバ回路１７１が取り出した電流から変換制御電源を生成するので、交流交流変換回路１１０が出力交流電力を生成している間は、変換制御電源を生成する。逆に、交流交流変換回路１１０が動作を停止し、出力交流電力を生成していない間は、変換制御電源を生成しない。
このため、変換制御電源回路１７５が生成した変換制御電源は、交流交流変換回路１１０が動作しているか否かを表わす動作検出信号として利用できる。すなわち、スナバ回路１７１及び変換制御電源回路１７５は、交流交流変換回路１１０が動作しているか否かを検出する動作検出回路１７０として機能する。
【００２９】
入力検出回路１６０は、例えば、２つの分圧抵抗Ｒ６１，Ｒ６２、ベース抵抗Ｒ６３、スイッチング素子Ｑ６４を有する。２つの分圧抵抗Ｒ６１，Ｒ６２は、互いに直列に電気接続されている。２つの分圧抵抗Ｒ６１，Ｒ６２は、整流回路１１１が整流した脈流の電圧を分圧する。ベース抵抗Ｒ６３は、２つの分圧抵抗Ｒ６１，Ｒ６２が分圧した電圧を電流に変換する。スイッチング素子Ｑ６４は、例えばＮＰＮ型バイポーラトランジスタである。スイッチング素子Ｑ６４は、ベース抵抗Ｒ６３が変換した電流によりオンオフする。入力検出回路１６０は、スイッチング素子Ｑ６４の状態を、入力検出信号として出力する。入力検出回路１６０の出力端子は、点灯制御回路１８０に接続している。入力検出回路１６０の出力端子は、例えば点灯制御回路１８０の内部でプルアップ抵抗に電気接続していて、スイッチング素子Ｑ６４の状態が電圧に変換される。点灯制御回路１８０は、その電圧を検出することにより、スイッチング素子Ｑ６４の状態を取得し、交流交流変換回路１１０が入力交流電力を入力しているか否かを判定する。
【００３０】
点灯制御電源回路１９５は、点灯制御電源を生成する。点灯制御電源は、点灯制御回路１８０が動作するための電源である。点灯制御電源回路１９５は、例えば充電池を有する。充電池は、例えば、点灯装置１００が入力した入力交流電力により充電される。点灯制御電源回路１９５は、充電池に充電された電力から点灯制御電源を生成する。なお、点灯制御回路１８０は、交流電源ＡＣからの電力の供給が途絶えたあとも、少なくとも数秒程度は動作を続ける必要がある。このため、充電池は、交流電源ＡＣからの電力の供給が途絶えたあと少なくとも数秒程度は点灯制御電源回路１９５が点灯制御電源を生成できるだけの十分な容量を持つ。
【００３１】
電源切換回路１９６は、変換制御回路１５０に供給される電源を切り替える回路である。電源切換回路１９６は、スイッチング素子Ｓ９７、整流素子Ｄ９８を有する。
上述したように、変換制御電源回路１７５は、交流交流変換回路１１０が動作していない場合、変換制御電源を生成しない。交流交流変換回路１１０は、変換制御回路１５０が生成した駆動信号により動作するため、変換制御回路１５０が動作していない場合、変換制御電源回路１７５は、変換制御電源を生成しない。このため、変換制御回路１５０の動作を開始させるための電源が、変換制御電源とは別に必要となる。この例では、変換制御回路１５０の動作を開始させるための電源として、点灯制御電源を利用する。
点灯制御回路１８０は、スイッチング素子Ｓ９７のオンオフを制御する。変換制御回路１５０の動作を開始させる場合、点灯制御回路１８０は、スイッチング素子Ｓ９７をオンにする。変換制御回路１５０は、点灯制御電源回路１９５から点灯制御電源の供給を受けて、動作を開始する。このとき、整流素子Ｄ９８はオフになる。変換制御回路１５０が動作を開始し、駆動信号を生成すると、交流交流変換回路１１０が動作を開始する。交流交流変換回路１１０が出力交流電力を生成すると、スナバ回路１７１が取り出した電流により平滑コンデンサＣ７６が充電され、変換制御電源回路１７５が変換制御電源を生成する。すると、整流素子Ｄ９８がオンになり、変換制御回路１５０は、変換制御電源により動作するようになる。その後、点灯制御回路１８０は、スイッチング素子Ｓ９７をオフにし、点灯制御電源が変換制御回路１５０に供給されないようにする。
【００３２】
なお、変換制御回路１５０の動作電源の電圧値と、点灯制御回路１８０の動作電源の電圧値とが異なる場合、点灯制御電源回路１９５が生成する点灯制御電源の電圧値は、いずれか高いほうの動作電源の電圧値とし、もう一方の制御回路との間に降圧回路を設ける。降圧回路が低いほうの動作電源の電圧値を生成することにより、１つの点灯制御電源回路１９５から、２つの動作電源を作ることができる。
【００３３】
変換制御回路１５０は、入力交流電力や出力交流電力の電圧値や電流値を監視することにより、異常の有無を検出する。異常を検出した場合、変換制御回路１５０は、交流交流変換回路１１０の動作を停止させる。
なお、変換制御回路１５０は、図示していない異常検出回路や無負荷検出回路の検出結果に基づいて、異常の有無を検出する構成であってもよい。
【００３４】
点灯制御回路１８０は、例えばマイコンである。マイコンは、図示していない処理装置、記憶装置、入力装置、出力装置を有する。
処理装置（ＣＰＵ）は、プログラムを実行することにより、データを処理し、マイコン全体を制御する。
記憶装置は、ＣＰＵが実行するプログラムや、ＣＰＵが処理するデータなどを記憶する。記憶装置には、例えば揮発性メモリ（ＲＡＭ）や不揮発性メモリ（ＲＯＭ）がある。
入力装置は、マイコンの外部から信号を入力し、入力した信号を、ＣＰＵが処理できるデータに変換する。入力装置は、例えばアナログデジタル変換回路（ＡＤＣ）である。入力装置が変換したデータは、ＣＰＵが直接処理してもよいし、記憶装置が一時的に記憶してもよい。
出力装置は、ＣＰＵが処理したデータや記憶装置が記憶したデータを、マイコンの外部に出力する信号に変換し、変換した信号を出力する。出力装置は、例えばデジタルアナログ変換回路（ＤＡＣ）である。
【００３５】
図４は、この実施の形態における点灯制御回路１８０の機能ブロックの構成を示す詳細ブロック図である。
点灯制御回路１８０は、起動信号生成部１８１、累積時間計測部１８２、累積時間記憶部１８３、変換表記憶部１８４、調光度算出部１８５、変換信号生成部１８６、異常停止判定部１８７、累積時間初期化部１８８、中断時間計測部１９１、中断操作計数部１９２、中断回数記憶部１９３、初期化操作判定部１９４を有する。
【００３６】
起動信号生成部１８１は、起動信号を生成する。起動信号は、スイッチング素子Ｓ９７のオンオフを制御する信号である。起動信号生成部１８１は、変換制御回路１５０の動作を開始させる場合、スイッチング素子Ｓ９７をオンにする起動信号を生成する。
起動信号生成部１８１は、ＣＰＵがＡＤＣを制御することにより、入力検出回路１６０が生成した入力検出信号が表わす検出結果と、動作検出回路１７０が生成した動作検出信号が表わす検出結果とを取得する。起動信号生成部１８１は、ＣＰＵがデータを処理することにより、取得した検出結果に基づいて、変換制御回路１５０の動作を開始させるか否かを判定する。起動信号生成部１８１は、ＣＰＵがＤＡＣを制御することにより、判定した結果に基づいて、起動信号を生成する。
【００３７】
累積時間計測部１８２（累積時間計測回路）は、累積点灯時間（累積時間）を計測する。累積時間計測部１８２は、動作検出回路１７０が検出した結果に基づいて、交流交流変換回路１１０が出力交流電力を生成している累積時間を計測することにより、累積点灯時間を計測する。累積時間記憶部１８３は、累積時間計測部１８２が計測した累積点灯時間を記憶する。
累積時間計測部１８２は、ＣＰＵがＡＤＣを制御することにより、動作検出回路１７０が生成した動作検出信号が表わす検出結果を取得する。交流交流変換回路１１０が動作している場合、累積時間計測部１８２は、ＣＰＵがデータを処理することにより、所定の時間（例えば１時間）が経過するごとに累積時間記憶部１８３が記憶した累積点灯時間を増加させる。累積時間記憶部１８３は、ＣＰＵがＲＯＭを制御することにより、累積時間計測部１８２が増加させた累積点灯時間を記憶する。
経過時間は、例えば、マイコンのクロックや、交流電源ＡＣから入力する入力交流電力の波数を数えることにより計測する。例えば、点灯装置１００は、図示していない計数回路（計時部）を有する。計数回路は、マイコンのクロックや入力交流電力を分周して、例えば０．１秒ごとに１つずつカウントアップしていく数値を保持している。累積時間計測部１８２は、計数回路が保持している数値を取得する。累積時間計測部１８２は、取得した数値と、所定の値（例えば３６０００）とを比較する。取得した数値が所定の値に達した場合、累積時間計測部１８２は、累積時間記憶部１８３が記憶した累積点灯時間を増加させる。また、累積時間計測部１８２は、計数回路が保持した数値をリセットして０に戻す。
【００３８】
変換表記憶部１８４は、あらかじめ変換表（出力設定表）を記憶している。変換表は、累積点灯時間を調光度に変換するためのテーブルである。変換表は、例えば、累積点灯時間の範囲と調光度とを対応づけるデータである。変換表は、ＲＯＭが記憶している。
なお、調光度は、何パーセント調光というような数値に限らず、例えば、ランプＬＡをその調光度で点灯させるために交流交流変換回路１１０が生成すべき出力交流電力の周波数を表わす数値であってもよいし、その周波数を変換制御回路１５０に指示する信号の電圧値を表わす数値であってもよい。
【００３９】
調光度算出部１８５は、変換表記憶部１８４が記憶した変換表に基づいて、累積時間記憶部１８３が記憶した累積点灯時間を、調光度に変換する。
調光度算出部１８５は、ＣＰＵがＲＯＭを制御することにより、累積時間記憶部１８３が記憶した累積点灯時間を取得する。調光度算出部１８５は、ＣＰＵがＲＯＭを制御することにより、変換表記憶部１８４が記憶した変換表を検索して、取得した累積点灯時間に対応する調光度を取得する。
【００４０】
変換信号生成部１８６は、点灯制御信号を生成する。点灯制御信号は、調光度算出部１８５が変換した調光度でランプＬＡを点灯することを、変換制御回路１５０に対して指示する。
変換信号生成部１８６は、ＣＰＵがＤＡＣを制御することにより、調光度算出部１８５が変換した調光度を指示する点灯制御信号を生成し、生成した点灯制御信号を出力する。
【００４１】
異常停止判定部１８７（ランプ寿命検出部）は、交流交流変換回路１１０が動作を停止した場合に、その原因を判定する。
異常停止判定部１８７は、ＣＰＵがＡＤＣを制御することにより、入力検出回路１６０が生成した入力検出信号が表わす検出結果と、動作検出回路１７０が生成した動作検出信号が表わす検出結果とを取得する。異常停止判定部１８７は、ＣＰＵがデータを処理することにより、取得した検出結果に基づいて、交流交流変換回路１１０が動作しているか否かを判定する。交流交流変換回路１１０が動作していない場合、異常停止判定部１８７は、ＣＰＵがデータを処理することにより、取得した検出結果に基づいて、交流交流変換回路１１０が動作していない原因が、変換制御回路１５０が無負荷や異常点灯などの異常を検出したことによるものであるか否かを判定する。
【００４２】
累積時間初期化部１８８（累積時間初期化回路）は、累積時間記憶部１８３が記憶した累積点灯時間を初期化する。
累積時間初期化部１８８は、ＣＰＵがデータを処理することにより、異常停止判定部１８７が判定した結果に基づいて、累積点灯時間を初期化するか否かを判定する。変換制御回路１５０が異常を検出したことにより交流交流変換回路１１０が動作を停止した場合、累積時間初期化部１８８は、ＣＰＵがデータを処理することにより、累積点灯時間を初期化して０にする。累積時間記憶部１８３は、累積時間初期化部１８８が初期化した累積点灯時間を記憶する。
例えば、無負荷は、ランプＬＡがソケット８２０から外されたことを意味する。その後正常な状態に復帰した場合、ランプＬＡが新品に交換されたと考えられる。また、異常点灯は、ランプＬＡが寿命であることを意味する。その後正常な状態に復帰した場合、ランプＬＡが新品に交換されたと考えられる。そこで、累積時間初期化部１８８は、累積点灯時間を初期化する。
また、後述する初期化操作判定部１９４が、初期化操作があったと判定した場合も、累積時間初期化部１８８は、累積点灯時間を初期化する。これにより、手動操作による初期化をすることができる。
【００４３】
この例において、手動操作による初期化は、電源スイッチＳＷの操作によって行う。例えば、利用者が、電源スイッチＳＷを切り、所定の時間が経過するまでの間に、再び電源スイッチＳＷを入れるという操作を、１回の中断操作とする。手動操作による初期化をするためには、所定の時間内に中断操作をあらかじめ定められた回数（例えば３回〜５回）繰り返す。
【００４４】
中断時間計測部１９１（中断時間計測回路、商用電源供給時間検出回路）は、中断時間を計測する。中断時間とは、電源スイッチＳＷが切れてから再び電源スイッチＳＷが入るまでの時間である。
中断時間計測部１９１は、ＣＰＵがＡＤＣを制御することにより、入力検出回路１６０が生成した入力検出信号が表わす検出結果と、動作検出回路１７０が生成した動作検出信号が表わす検出結果とを取得する。中断時間計測部１９１は、ＣＰＵがデータを処理することにより、取得した検出結果に基づいて、中断時間を計測する。
【００４５】
中断操作計数部１９２（中断操作計数回路）は、中断時間計測部１９１が計測した中断時間に基づいて、中断操作回数を数える。中断操作回数とは、利用者が中断操作をした回数である。
中断回数記憶部１９３は、中断操作計数部１９２が数えた中断操作回数を記憶する。
中断操作計数部１９２は、ＣＰＵがデータを処理することにより、中断時間計測部１９１が計測した中断時間が、所定の範囲内であるか否かを判定する。中断時間が所定の範囲内である場合、中断操作計数部１９２は、ＣＰＵがデータを処理することにより、中断回数記憶部１９３が記憶した中断操作回数を１増加させる。中断回数記憶部１９３は、ＣＰＵがＲＡＭを制御することにより、中断操作計数部１９２が増加させた中断操作回数を記憶する。
【００４６】
初期化操作判定部１９４は、中断回数記憶部１９３が記憶した中断操作回数が所定の回数に達したか否かを判定することにより、初期化操作があったか否かを判定する。
初期化操作判定部１９４は、ＣＰＵがデータを処理することにより、中断回数記憶部１９３が記憶した中断操作回数が所定の回数に達したか否かを判定する。中断回数記憶部１９３が記憶した中断操作回数が所定の回数に達した場合、初期化操作があったと判断し、累積時間初期化部１８８は、累積時間記憶部１８３が記憶した累積点灯時間を初期化する。
【００４７】
図５は、この実施の形態における点灯装置１００の処理の流れを示すフローチャート図である。
点灯装置１００は、起動処理Ｓ５１０、点灯処理Ｓ５２０、停止処理Ｓ５３０、異常停止処理Ｓ５４０を行う。
電源スイッチＳＷがオンになり、点灯装置１００に電源が供給されると、点灯装置１００は、起動処理Ｓ５１０を行う。正常にランプＬＡが点灯すれば、点灯装置１００は、点灯処理Ｓ５２０を行う。異常によりランプＬＡが点灯しなかった場合、点灯装置１００は、異常停止処理Ｓ５４０を行う。
点灯処理Ｓ５２０において、点灯装置１００は、ランプＬＡの累積点灯時間を管理する。その後、交流交流変換回路１１０が動作を停止してランプＬＡが消灯した場合、点灯装置１００は、停止処理Ｓ５３０を行う。
停止処理Ｓ５３０において、ランプＬＡが消灯した原因が、異常によるものである場合、点灯装置１００は、異常停止処理Ｓ５４０を行う。ランプＬＡが消灯した原因が、初期化操作による一時的な電源スイッチＳＷのオフなどによるものである場合、再びランプＬＡを点灯するため、点灯装置１００は、起動処理Ｓ５１０を行う。それ以外の場合、点灯装置１００は、処理を終了する。
【００４８】
図６は、この実施の形態における起動処理Ｓ５１０の流れを示すフローチャート図である。
起動処理Ｓ５１０において、点灯装置１００は、ランプＬＡの点灯を開始する。
起動処理Ｓ５１０は、操作回数初期化工程Ｓ５１１、起動信号生成工程Ｓ５１２、動作判定工程Ｓ５１４、起動信号停止工程Ｓ５１５、起動時間判定工程Ｓ５１６、起動信号停止工程Ｓ５１７を有する。
【００４９】
操作回数初期化工程Ｓ５１１において、中断回数記憶部１９３は、ＣＰＵがＲＡＭを制御することにより、記憶した中断操作回数を初期化して０にする。
【００５０】
起動信号生成工程Ｓ５１２において、起動信号生成部１８１は、ＣＰＵがＤＡＣを制御することにより、スイッチング素子Ｓ９７をオンにする起動信号を生成し、出力する。起動信号生成部１８１は、起動信号停止工程Ｓ５１５またはＳ５１７を実行するまで、スイッチング素子Ｓ９７をオンにする起動信号の生成を続ける。
【００５１】
動作判定工程Ｓ５１４において、起動信号生成部１８１は、ＣＰＵがＡＤＣを制御することにより、動作検出回路１７０が検出した結果を取得する。上述したように、点灯装置１００は、動作検出信号として変換制御電源回路１７５が生成した変換制御電源を利用しているので、起動信号生成部１８１は、動作検出回路１７０の検出結果として、変換制御電源の電圧値を取得する。起動信号生成部１８１は、変換制御電源の電圧値と、所定の電圧値とを比較する。比較の基準となる所定の電圧値は、変換制御回路１５０が動作する電源の最低電圧値よりも高い電圧値である。
変換制御電源の電圧値のほうが高い場合、交流交流変換回路１１０が動作していると判定し、起動信号生成部１８１は、起動信号停止工程Ｓ５１５へ処理を進める。
変換制御電源の電圧値のほうが低い場合、交流交流変換回路１１０がまだ動作していないと判定し、起動信号生成部１８１は、起動時間判定工程Ｓ５１６へ処理を進める。
【００５２】
起動信号停止工程Ｓ５１５において、起動信号生成部１８１は、ＣＰＵがＤＡＣを制御することにより、スイッチング素子Ｓ９７をオフにする起動信号を生成し、出力する。
点灯装置１００は、点灯処理Ｓ５２０へ処理を進める。
【００５３】
起動時間判定工程Ｓ５１６において、起動信号生成部１８１は、ＣＰＵがデータを処理することにより、起動信号生成工程Ｓ５１２で起動信号の生成を始めてから経過した経過時間を計測する。起動信号生成部１８１は、ＣＰＵがデータを処理することにより、計測した経過時間と、所定の時間とを比較する。比較の基準となる所定の時間は、変換制御回路１５０が動作を開始して交流交流変換回路１１０が出力交流電力を生成してから、変換制御電源回路１７５が生成する変換制御電源の電圧値が所定の電圧値に達するまでにかかる時間として見込まれる時間の最大値である。
計測した経過時間のほうが短く、まだ所定の時間が経過していない場合、起動信号生成部１８１は、動作判定工程Ｓ５１４に処理を戻す。
計測した経過時間のほうが長く、所定の時間が既に経過している場合、変換制御回路１５０が異常を検出したことにより、交流交流変換回路１１０が動作を開始しなかったと考えられる。起動信号生成部１８１は、起動信号停止工程Ｓ５１７へ処理を進める。
【００５４】
起動信号停止工程Ｓ５１７において、起動信号生成部１８１は、ＣＰＵ９１１がＤＡＣを制御することにより、スイッチング素子Ｓ９７をオフにする起動信号を生成し、出力する。
点灯装置１００は、異常停止処理Ｓ５４０へ処理を進める。
【００５５】
図７は、この実施の形態における点灯処理Ｓ５２０の流れを示すフローチャート図である。
点灯処理Ｓ５２０において、点灯装置１００は、累積点灯時間を管理する。
点灯処理Ｓ５２０は、調光度算出工程Ｓ５２１、変換信号生成工程Ｓ５２２、動作判定工程Ｓ５２３、累積時間計測工程Ｓ５２４を有する。
【００５６】
調光度算出工程Ｓ５２１において、調光度算出部１８５は、ＣＰＵがデータを処理することにより、累積時間記憶部１８３が記憶した累積点灯時間と、変換表記憶部１８４が記憶した変換表とに基づいて、調光度を算出する。
【００５７】
変換信号生成工程Ｓ５２２において、変換信号生成部１８６は、ＣＰＵがＤＡＣを制御することにより、調光度算出工程Ｓ５２１で累積時間記憶部１８３が算出した調光度に基づいて、点灯制御信号を生成する。
【００５８】
動作判定工程Ｓ５２３において、累積時間計測部１８２は、ＣＰＵがＡＤＣを制御することにより、動作検出回路１７０が検出した結果、すなわち、変換制御電源回路１７５が生成した変換制御電源の電圧値を取得する。累積時間計測部１８２は、ＣＰＵがデータを処理することにより、取得した変換制御電源の電圧値と、所定の電圧値と比較する。
変換制御電源の電圧値のほうが高い場合、交流交流変換回路１１０が動作していると判定し、累積時間計測部１８２は、累積時間計測工程Ｓ５２４へ処理を進める。
変換制御電源の電圧値のほうが低い場合、交流交流変換回路１１０が動作していないと判定し、累積時間計測部１８２は、停止処理Ｓ５３０へ処理を進める。
【００５９】
累積時間計測工程Ｓ５２４において、累積時間計測部１８２は、ＣＰＵがデータを処理することにより、累積点灯時間を計測する。累積時間記憶部１８３は、ＣＰＵがＲＯＭを制御することにより、累積時間計測部１８２が計測した累積点灯時間を記憶する。
点灯装置１００は、調光度算出工程Ｓ５２１に処理を戻し、交流交流変換回路１１０が動作を停止するまで、以上の処理を繰り返す。
【００６０】
図８は、この実施の形態における停止処理Ｓ５３０の流れを示すフローチャート図である。
停止処理Ｓ５３０において、点灯装置１００は、ランプＬＡの点灯停止に伴う処理をする。
停止処理Ｓ５３０は、入力判定工程Ｓ５３１、下限時間判定工程Ｓ５３２、入力判定工程Ｓ５３３、上限時間判定工程Ｓ５３４、入力判定工程Ｓ５３５、中断操作計数工程Ｓ５３６、累積時間初期化工程Ｓ５３７、操作間隔判定工程Ｓ５３８、入力判定工程Ｓ５３９を有する。
【００６１】
入力判定工程Ｓ５３１において、異常停止判定部１８７は、ＣＰＵがＡＤＣを制御することにより、入力検出回路１６０が検出した結果を取得する。異常停止判定部１８７は、ＣＰＵがデータを処理することにより、入力検出回路１６０の検出結果に基づいて、異常停止であるか正常停止であるかを判定する。
交流交流変換回路１１０が入力交流電力を入力している場合、交流交流変換回路１１０が動作を停止した原因は、変換制御回路１５０が異常を検出したことであると考えられる。異常停止判定部１８７は、異常停止と判定し、異常停止処理Ｓ５４０へ処理を進める。
交流交流変換回路１１０が入力交流電力を入力していない場合、交流交流変換回路１１０が動作を停止した原因は、交流電源ＡＣからの電力供給が停止したことであると考えられる。異常停止判定部１８７は、正常停止と判定し、下限時間判定工程Ｓ５３２へ処理を進める。
【００６２】
下限時間判定工程Ｓ５３２において、中断時間計測部１９１は、ＣＰＵがデータを処理することにより、交流電源ＡＣからの電力供給が停止してから経過した経過時間を計測する。中断時間計測部１９１は、ＣＰＵがデータを処理することにより、計測した経過時間と、所定の下限時間とを比較する。下限時間は、交流電源ＡＣからの電力供給の停止が、電源スイッチＳＷのオフによるものか、瞬停やサグによるものかを区別するための閾値となる時間である。
経過時間のほうが短く、まだ下限時間が経過していない場合、中断時間計測部１９１は、入力判定工程Ｓ５３３へ処理を進める。
経過時間のほうが長く、下限時間が既に経過している場合、中断時間計測部１９１は、上限時間判定工程Ｓ５３４へ処理を進める。
【００６３】
入力判定工程Ｓ５３３において、中断時間計測部１９１は、ＣＰＵがＡＤＣを制御することにより、入力検出回路１６０が検出した結果を取得する。中断時間計測部１９１は、ＣＰＵがデータを処理することにより、入力検出回路１６０の検出結果に基づいて、交流電源ＡＣからの電力供給が再開しているか否かを判定する。
交流交流変換回路１１０が入力交流電力を入力していない場合、すなわち、交流電源ＡＣからの電力供給が再開していない場合、中断時間計測部１９１は、下限時間判定工程Ｓ５３２に処理を戻し、下限時間が経過するまでの間、下限時間判定工程Ｓ５３２及び入力判定工程Ｓ５３３を繰り返す。
交流交流変換回路１１０が入力交流電力を入力している場合、すなわち、下限時間が経過する前に交流電源ＡＣからの電力供給が再開した場合、交流電源ＡＣからの電力供給が停止した原因は、瞬停やサグによるものであって、電源スイッチＳＷの操作によるものではないと考えられる。中断操作計数部１９２は、中断操作ではないと判定する。点灯装置１００は、ランプＬＡを再び点灯するため、起動処理Ｓ５１０に処理を戻す。
【００６４】
上限時間判定工程Ｓ５３４において、中断時間計測部１９１は、ＣＰＵがデータを処理することにより、交流電源ＡＣからの電力供給が停止してから経過した経過時間を計測する。中断時間計測部１９１は、ＣＰＵがデータを処理することにより、計測した経過時間と、所定の上限時間とを比較する。上限時間は、中断操作と電源オフとを区別するための閾値となる時間である。
経過時間のほうが短く、まだ上限時間が経過していない場合、中断時間計測部１９１は、入力判定工程Ｓ５３５へ処理を進める。
交流電源ＡＣからの電力供給が再開しないまま上限時間が経過した場合、利用者が電源スイッチＳＷを操作した意図は、中断操作ではなく、通常の電源オフであると考えられる。点灯装置１００は、処理を終了する。
【００６５】
入力判定工程Ｓ５３５において、中断時間計測部１９１は、ＣＰＵがＡＤＣを制御することにより、入力検出回路１６０が検出した結果を取得する。中断時間計測部１９１は、ＣＰＵがデータを処理することにより、入力検出回路１６０の検出結果に基づいて、交流電源ＡＣからの電力供給が再開しているか否かを判定する。
交流交流変換回路１１０が入力交流電力を入力していない場合、すなわち、交流電源ＡＣからの電力供給が再開していない場合、中断時間計測部１９１は、上限時間判定工程Ｓ５３４に処理を戻す。
交流交流変換回路１１０が入力交流電力を入力している場合、すなわち、下限時間以上上限時間以下の範囲内で交流電源ＡＣからの電力供給が再開した場合は、中断操作であると考えられる。中断時間計測部１９１は、中断操作計数工程Ｓ５３６へ処理を進める。
【００６６】
中断操作計数工程Ｓ５３６において、中断操作計数部１９２は、ＣＰＵがデータを処理することにより、中断操作回数を１つ増加させる。中断回数記憶部１９３は、ＣＰＵがＲＡＭを制御することにより、中断操作計数部１９２が増加させた中断操作回数を記憶する。
初期化操作判定部１９４は、ＣＰＵがデータを処理することにより、中断回数記憶部１９３が記憶した中断操作回数と、所定の回数とを比較する。
中断操作回数が所定の回数に達した場合は、初期化操作が完了したことになる。初期化操作判定部１９４は、累積時間初期化工程Ｓ５３７へ処理を進める。
中断操作回数のほうが少ない場合、まだ初期化操作は完了していない。初期化操作判定部１９４は、操作間隔判定工程Ｓ５３８へ処理を進める。
【００６７】
累積時間初期化工程Ｓ５３７において、累積時間初期化部１８８は、ＣＰＵがデータを処理することにより、累積時間記憶部１８３が記憶した累積点灯時間を初期化して０にする。累積時間記憶部１８３は、ＣＰＵがＲＯＭを制御することにより、累積時間初期化部１８８が初期化した累積点灯時間を記憶する。
点灯装置１００は、ランプＬＡを再び点灯するため、起動処理Ｓ５１０に処理を戻す。
【００６８】
操作間隔判定工程Ｓ５３８において、中断時間計測部１９１は、ＣＰＵがデータを処理することにより、交流電源ＡＣからの電力供給が再開してから経過した経過時間を計測する。中断時間計測部１９１は、ＣＰＵがデータを処理することにより、計測した経過時間と、所定の時間とを比較する。比較の基準となる時間は、一連の初期化操作における中断操作の間隔の最大時間としてあらかじめ定められた時間である。
経過時間のほうが短く、まだ所定の時間が経過していない場合、中断時間計測部１９１は、入力判定工程Ｓ５３９へ処理を進める。
経過時間のほうが長く、交流電源ＡＣからの電力供給が再び停止しないまま所定の時間が経過した場合は、初期化操作が完了しなかったことになる。点灯装置１００は、累積点灯時間の初期化を行わない。点灯装置１００は、ランプＬＡを再び点灯するため、起動処理Ｓ５１０に処理を戻す。
【００６９】
入力判定工程Ｓ５３９において、中断時間計測部１９１は、ＣＰＵがＡＤＣを制御することにより、入力検出回路１６０が検出した結果を取得する。中断時間計測部１９１は、ＣＰＵがデータを処理することにより、入力検出回路１６０の検出結果に基づいて、交流電源ＡＣからの電力供給が続いているか否かを判定する。
交流交流変換回路１１０が入力交流電力を入力していない場合、すなわち、交流電源ＡＣからの電力供給が再び停止している場合、中断時間計測部１９１は、下限時間判定工程Ｓ５３２に処理を戻し、それが中断操作であるか否かを判定する。
交流交流変換回路１１０が入力交流電力を入力している場合、すなわち、交流電源ＡＣからの電力供給が続いている場合、中断時間計測部１９１は、操作間隔判定工程Ｓ５３８に処理を戻し、所定の時間が経過するまでに交流電源ＡＣからの電力供給が再び停止するか否かを判定する。
【００７０】
図９は、この実施の形態における異常停止処理Ｓ５４０の流れを示すフローチャート図である。
異常停止処理Ｓ５４０において、点灯装置１００は、異常停止に伴う処理をする。
異常停止処理Ｓ５４０は、累積時間初期化工程Ｓ５４１を有する。
【００７１】
累積時間初期化工程Ｓ５４１において、累積時間初期化部１８８は、ＣＰＵがデータを処理することにより、累積時間記憶部１８３が記憶した累積点灯時間を初期化して０にする。累積時間記憶部１８３は、ＣＰＵがＲＯＭを制御することにより、累積時間初期化部１８８が初期化した累積点灯時間を記憶する。
【００７２】
図１０は、この実施の形態における点灯装置１００の動作タイミングの一例を示すタイミング図である。
横軸は、時刻を表わす。
線７１１は、電源スイッチＳＷの状態を表わす。線７１２の位置がオンの状態、線７１３の位置がオフの状態を表わす。
線７２１は、整流回路１１１が整流した脈流の電圧値を表わす。線７２２は、交流電源ＡＣから電力供給があると判定する閾値を表わす。
線７３１は、スイッチング素子Ｓ９７の状態を表わす。線７３２の位置がオンの状態、線７３３の位置がオフの状態を表わす。
線７４１は、交流交流変換回路１１０の状態を表わす。線７４２の位置が動作状態、線７４３の位置が停止状態を表わす。
線７５１は、変換制御電源回路１７５が生成する変換制御電力の電圧値を表わす。線７５２は、交流交流変換回路１１０が動作していると判定する閾値を表わす。
【００７３】
まず、電源投入後、ランプＬＡが正常に点灯した場合について説明する。
【００７４】
時刻６１１において、電源スイッチＳＷがオンになり、点灯装置１００に交流電源ＡＣからの電力が供給される。これにより、点灯制御回路１８０が動作を開始し、起動処理Ｓ５１０を実行する。
時刻６１２において、起動信号生成部１８１が起動信号生成工程Ｓ５１２を実行し、スイッチング素子Ｓ９７をオンにする起動信号を生成する。変換制御回路１５０に対して点灯制御電源回路１９５から点灯制御電源が供給され、変換制御回路１５０が動作を開始する。
時刻６１３において、変換制御回路１５０が生成した駆動信号により、交流交流変換回路１１０が動作を開始する。スナバ回路１７１が取り出した電流により、平滑コンデンサＣ７６が充電されて、変換制御電源回路１７５が生成する変換制御電力の電圧値が上昇して、閾値を超える。
時刻６１４において、起動信号生成部１８１が動作判定工程Ｓ５１４を実行し、交流交流変換回路１１０が動作していると判定する。
時刻６１５において、起動信号生成部１８１が起動信号停止工程Ｓ５１５を実行し、スイッチング素子Ｓ９７をオフにする起動信号を生成する。変換制御回路１５０は、変換制御電源回路１７５から供給される変換制御電源により動作を続ける。
【００７５】
次に、電源投入後、変換制御回路１５０が異常を検出してランプＬＡが点灯しなかった場合について説明する。
【００７６】
時刻６２１において、電源スイッチＳＷがオンになり、点灯装置１００に交流電源ＡＣからの電力が供給される。これにより、点灯制御回路１８０が動作を開始し、起動処理Ｓ５１０を実行する。
時刻６２２において、起動信号生成部１８１が起動信号生成工程Ｓ５１２を実行し、スイッチング素子Ｓ９７をオンにする起動信号を生成する。点灯制御電源回路１９５から変換制御回路１５０に対して点灯制御電源が供給され、変換制御回路１５０が動作を開始する。
時刻６２３において、変換制御回路１５０が生成した駆動信号により、交流交流変換回路１１０が動作を開始する。スナバ回路１７１が取り出した電流により、平滑コンデンサＣ７６が充電されて、変換制御電源回路１７５が生成する変換制御電力の電圧値が上昇する。
その後、変換制御回路１５０が異常を検出して、交流交流変換回路１１０の動作を停止させる。
このため、平滑コンデンサＣ７６が徐々に放電し、変換制御電源回路１７５が生成する変換制御電力の電圧値は、閾値を超えることなく下降していく。この間、起動信号生成部１８１は動作判定工程Ｓ５１４を繰り返し実行するが、交流交流変換回路１１０が動作していないと判定する。
時刻６２４において、起動信号生成部１８１が起動時間判定工程Ｓ５１６を実行し、所定の時間が経過したと判定する。
時刻６２５において、起動信号生成部１８１が起動信号停止工程Ｓ５１７を実行し、スイッチング素子Ｓ９７をオフにする起動信号を生成する。スイッチング素子Ｓ９７がオフになり、点灯制御電源回路１９５から変換制御回路１５０に対する点灯制御電源の供給が途絶え、変換制御電源回路１７５からの変換制御電源の供給もないので、変換制御回路１５０は動作を停止する。
【００７７】
図１１は、この実施の形態における点灯装置１００の動作タイミングの別の例を示すタイミング図である。
横軸は、時刻を表わす。図１０と共通する部分には、同一の符号を付す。
【００７８】
まず、ランプＬＡを点灯中に、変換制御回路１５０が異常を検出した場合について説明する。
【００７９】
時刻６３１において、変換制御回路１５０が異常を検出し、交流交流変換回路１１０の動作を停止させる。平滑コンデンサＣ７６が徐々に放電し、閾値を下回る。
時刻６３２において、累積時間計測部１８２が動作判定工程Ｓ５２３を実行し、交流交流変換回路１１０が動作していないと判定する。異常停止判定部１８７が入力判定工程Ｓ５３１を実行し、交流電源ＡＣからの電力供給があると判定する。これにより、交流交流変換回路１１０が動作を停止した原因が、変換制御回路１５０による異常検出であることがわかる。累積時間初期化部１８８は、累積時間初期化工程Ｓ５４１を実行し、累積時間記憶部１８３が記憶した累積点灯時間を初期化する。
【００８０】
次に、ランプＬＡを点灯中に、電源が切断された場合について説明する。
【００８１】
時刻６４１において、電源スイッチＳＷがオフになり、交流電源ＡＣからの電力供給が停止する。交流交流変換回路１１０は動作を続けるが、交流電源ＡＣからの電力供給がないので、スナバ回路１７１が取り出す電流もなくなる。平滑コンデンサＣ７６が徐々に放電し、変換制御電源回路１７５が生成する変換制御電源の電圧値が閾値を下回る。
時刻６４２において、累積時間計測部１８２が動作判定工程Ｓ５２３を実行し、交流交流変換回路１１０が動作していないと判定する。異常停止判定部１８７が入力判定工程Ｓ５３１を実行し、交流電源ＡＣからの電力供給がないと判定する。これにより、交流交流変換回路１１０が動作を停止した原因が、異常検出ではなく、交流電源ＡＣからの電力供給停止であることがわかる。
時刻６４３において、変換制御電源回路１７５が生成する変換制御電力の電圧値が変換制御回路１５０の動作電源の電圧の最小値を下回り、変換制御回路１５０が動作を停止し、交流交流変換回路１１０も動作を停止する。なお、時刻６４３は、時刻６４２より前であってもよい。
また、変換制御回路１５０が、交流電源ＡＣからの電力供給が停止したことを検出して、交流交流変換回路１１０の動作を停止させる構成であってもよい。その場合、交流交流変換回路１１０は、時刻６４１に動作を停止する。
すなわち、交流交流変換回路１１０が実際に動作を停止するタイミングは問題ではない。いずれにしても、交流交流変換回路１１０が動作を停止したことを動作検出回路１７０が検出する時点では、既に交流電源ＡＣからの電力供給が停止しているので、入力検出回路１６０は、交流電源ＡＣからの電力供給が停止していることを検出する。
【００８２】
時刻６４４において、中断時間計測部１９１が下限時間判定工程Ｓ５３２を実行し、交流電源ＡＣからの電力供給が再開しないまま下限時間が経過したと判定する。
時刻６４５において、中断時間計測部１９１が上限時間判定工程Ｓ５３４を実行し、交流電源ＡＣからの電力供給が再開しないまま更に上限時間が経過したと判定する。これにより、電源スイッチＳＷのオフが、初期化操作を意図するものではなく、通常の電源オフ操作を意図するものであることがわかる。点灯装置１００は、累積点灯時間を初期化することなく、処理を終了する。
【００８３】
図１２は、この実施の形態における点灯装置１００の動作タイミングの更に別の例を示すタイミング図である。
横軸は、時刻を表わす。図１０と共通する部分には、同一の符号を付す。
【００８４】
次に、ランプＬＡの点灯中に、中断操作をした場合について説明する。
【００８５】
時刻６５１において、電源スイッチＳＷがオフになり、交流電源ＡＣからの電力供給が停止する。
時刻６５２において、累積時間計測部１８２が動作判定工程Ｓ５２３を実行し、交流交流変換回路１１０が動作していないと判定する。異常停止判定部１８７が入力判定工程Ｓ５３１を実行し、交流電源ＡＣからの電力供給がないと判定する。これにより、交流交流変換回路１１０が動作を停止した原因が、異常検出ではなく、交流電源ＡＣからの電力供給停止であることがわかる。
時刻６５３において、中断時間計測部１９１が下限時間判定工程Ｓ５３２を実行し、交流電源ＡＣからの電力供給が再開しないまま下限時間が経過したと判定する。
時刻６５４において、電源スイッチＳＷがオンになり、交流電源ＡＣからの電力供給が再開する。中断時間計測部１９１は、入力判定工程Ｓ５３３を実行し、上限時間が経過する前に交流電源ＡＣからの電力供給が再開したと判定する。中断操作計数部１９２が中断操作計数工程Ｓ５３６を実行し、中断回数記憶部１９３が記憶した中断操作回数に１を加える。中断回数記憶部１９３が記憶した中断操作回数は、電源投入時の操作回数初期化工程Ｓ５１１によって０に初期化されているので、中断回数記憶部１９３は、中断操作回数として１を記憶する。初期化操作に必要な中断操作の回数が３であるとすると、初期化操作判定部１９４は、中断操作回数がまだ所定の回数に達していないと判定する。したがって、累積点灯時間の初期化は行わない。
【００８６】
時刻６６１において、電源スイッチＳＷがオフになり、交流電源ＡＣからの電力供給が再び停止する。
時刻６６２において、中断時間計測部１９１が入力判定工程Ｓ５３９を実行し、所定の時間が経過する前に再び交流電源ＡＣからの電力供給が停止したと判定する。
時刻６６３において、中断時間計測部１９１が下限時間判定工程Ｓ５３２を実行し、交流電源ＡＣからの電力供給が再開しないまま下限時間が経過したと判定する。
時刻６６４において、電源スイッチＳＷがオンになり、交流電源ＡＣからの電力供給が再開する。中断時間計測部１９１は、入力判定工程Ｓ５３３を実行し、上限時間が経過する前に交流電源ＡＣからの電力供給が再開したと判定する。中断操作計数部１９２が中断操作計数工程Ｓ５３６を実行し、中断回数記憶部１９３が記憶した中断操作回数に１を加える。中断回数記憶部１９３は、中断操作回数として２を記憶する。初期化操作判定部１９４は、中断操作回数がまだ所定の回数に達していないと判定する。したがって、累積点灯時間の初期化は行わない。
【００８７】
時刻６７１において、中断時間計測部１９１が操作間隔判定工程Ｓ５３８を実行し、再び交流電源ＡＣからの電力供給が停止することなく、所定の時間が経過したと判定する。したがって、初期化操作は完了しなかったことになる。点灯装置１００は、起動処理Ｓ５１０を実行して、ランプＬＡを再点灯する。起動処理Ｓ５１０のなかで、中断回数記憶部１９３が操作回数初期化工程Ｓ５１１を実行し、中断操作回数として０を記憶する。すなわち、その後、再び中断操作がなされた場合、中断操作回数は、また１から数えることになる。
【００８８】
次に、同じ図を用いて、初期化操作が完了した場合について説明する。
【００８９】
初期化操作に必要な中断操作の回数が２であると仮定する。
時刻６６４において、初期化操作判定部１９４は、中断回数記憶部１９３が記憶した中断操作回数が、所定の回数と等しいと判定する。累積時間初期化部１８８が累積時間初期化工程Ｓ５３７を実行し、累積時間記憶部１８３が記憶した累積点灯時間を初期化する。
その後、点灯装置１００は、起動処理Ｓ５１０を実行して、ランプＬＡを再点灯する。
【００９０】
この実施の形態における点灯装置１００によれば、交流交流変換回路１１０が入力交流電力を入力し、かつ、交流交流変換回路１１０が出力交流電力を生成していない場合に、累積時間記憶部１８３が記憶した累積点灯時間を初期化するので、変換制御回路１５０が異常を検出した場合に累積点灯時間を初期化することができる。したがって、無負荷検出回路や異常点灯検出回路を設けずに、光源の累積点灯時間を監視することができる。
【００９１】
また、無負荷検出回路や異常点灯検出回路を設けず、点灯制御回路１８０は、変換制御回路１５０が異常を検出した結果を利用するので、変換制御回路１５０による異常判定と、点灯制御回路１８０による異常判定とが食い違うおそれがない。したがって、設計変更などにより、変換制御回路１５０に用いる制御ＩＣを変更した場合でも、点灯制御回路１８０（またはマイコンが記憶したプログラム）を変更する必要がない。
【００９２】
また、無負荷検出回路や異常点灯検出回路を設けないので、ランプＬＡの電圧特性や電流特性のバラツキを考慮する必要もない。
【符号の説明】
【００９３】
１００  点灯装置、１１０  交流交流変換回路、１１１  整流回路、１１２  力率改善回路、１１３  インバータ回路、１１６  フィルタ回路、１４０  負荷回路、１４５  光源接続部、１５０  変換制御回路、１６０  入力検出回路、１７０  動作検出回路、１７１  スナバ回路、１７５  変換制御電源回路、１８０  点灯制御回路、１８１  起動信号生成部、１８２  累積時間計測部、１８３  累積時間記憶部、１８４  変換表記憶部、１８５  調光度算出部、１８６  変換信号生成部、１８７  異常停止判定部、１８８  累積時間初期化部、１９１  中断時間計測部、１９２  中断操作計数部、１９３  中断回数記憶部、１９４  初期化操作判定部、１９５  点灯制御電源回路、１９６  電源切換回路、８００  照明器具、８１０  本体、８２０  ソケット、ＡＣ  交流電源、Ｃ１５，Ｃ１６，Ｃ１７  ノイズ除去コンデンサ、Ｃ２５，Ｃ７６  平滑コンデンサ、Ｃ４２  始動コンデンサ、Ｃ４３  結合コンデンサ、Ｃ７１  スナバコンデンサ、Ｄ２３，Ｄ７３，Ｄ７４，Ｄ９８  整流素子、ＤＢ  ダイオードブリッジ、Ｌ２１，Ｌ４１  チョークコイル、ＬＡ  ランプ、Ｑ２２，Ｑ３１，Ｑ３２，Ｑ６４，Ｓ９７  スイッチング素子、Ｒ６１，Ｒ６２  分圧抵抗、Ｒ６３  ベース抵抗、Ｒ７２  スナバ抵抗、ＳＷ  電源スイッチ、Ｚ７７  定電圧ダイオード。
【図１】
2011222127.tif 000003
【図２】
2011222127.tif 000004
【図３】
2011222127.tif 000005
【図４】
2011222127.tif 000006
【図５】
2011222127.tif 000007
【図６】
2011222127.tif 000008
【図７】
2011222127.tif 000009
【図８】
2011222127.tif 000010
【図９】
2011222127.tif 000011
【図１０】
2011222127.tif 000012
【図１１】
2011222127.tif 000013
【図１２】
2011222127.tif 000014